(57)【要約】【課題】閉鎖箱の側面または底面に配置した換気口において、あらゆる方向からの水の侵入を防止できる換気口構造を提供する。【解決手段】閉鎖箱の側面または底面に設けられる換気口１６を有する換気口構造１０であって、閉鎖箱の外部Ｂからの水の侵入を防ぐために換気口１６を跨ぐように配置され、所定方向に所定間隔で並列配置される複数の長板状のヨロイ２０を備え、ヨロイ２０は、短手方向両端側においてそれぞれ表面側と裏面側に突出して長手方向に連続するツバ２２を有し、隣り合うヨロイ２０間の隙間Ｓの形状が、ヨロイ２０の長手方向に垂直な断面視で屈折したＺ字状になるようにヨロイ２０を並列配置するようにする。【選択図】図４
2015089274.tif 000002
【特許請求の範囲】
【請求項１】
閉鎖箱の側面または底面に設けられる換気口を有する換気口構造であって、
前記閉鎖箱の外部からの水の侵入を防ぐために前記換気口を跨ぐように配置され、所定方向に所定間隔で並列配置される複数の長板状のヨロイを備え、
前記ヨロイは、短手方向両端側においてそれぞれ表面側と裏面側に突出して長手方向に連続するツバを有し、
隣り合う前記ヨロイ間の隙間の形状が、前記ヨロイの長手方向に垂直な断面視で屈折したＺ字状になるように前記ヨロイを並列配置したことを特徴とする換気口構造。
【請求項２】
前記ヨロイよりも前記閉鎖箱の内側に設けられ、前記ヨロイの長手方向端部の隙間からの水の侵入を防ぐための塞ぎ板をさらに備えることを特徴とする請求項１に記載の換気口構造。
【請求項３】
１枚の長板において長手方向に連続した２本の平行なスリットを設け、このスリットでＺ曲げ加工をすることで前記ツバを有する前記ヨロイが形成されることを特徴とする請求項１または２に記載の換気口構造。
【請求項４】
前記２本の平行なスリットが、前記長板の長手方向に沿う中心線に対して線対称のＵ字状であり、長手方向両端側にそれぞれ外側に屈曲して伸びる端部スリットを有し、前記端部スリットの中間付近の曲げ支点から前記スリットに沿ってＺ曲げ加工をすることで前記ツバを有する前記ヨロイが形成されることを特徴とする請求項３に記載の換気口構造。
【発明の詳細な説明】
【技術分野】
【０００１】
本発明は、遮断器や断路器などの電気機器を収納する金属閉鎖形スイッチギヤの換気口構造に関するものである。
【背景技術】
【０００２】
従来、遮断器や断路器などの電気機器を収納する金属閉鎖形スイッチギヤの閉鎖箱（箱体）が知られている。この閉鎖箱は一般に、板状の側面板、背面板、天井板、床板、および正面扉で構成されている。電気機器のような発熱体が閉鎖箱内部に配置される場合、閉鎖箱内の温度上昇により制御機器等に影響を及ぼさないようにするため、閉鎖箱には自然換気や強制換気を行うための換気口を設けている（例えば、特許文献１または２を参照）。
【０００３】
図８は、特許文献１の金属閉鎖形スイッチギヤの閉鎖箱（箱体）を示したものである。図８に示すように、遮断器などの電気機器を収納する箱体１には、開口部に開閉自在の正面扉２が設けられている。正面扉２の下部内側には換気口３が設けられ、これを覆うように矩形状の防塵用フィルタ４が固定されている。防塵用フィルタ４は、断面コ字状の溝が対向するように水平方向に配置された一対のガイド５に収納され、左右方向の移動が可能なように固定されている。正面扉２には、開閉操作を行うためのハンドル６が設けられている。また、正面扉２には、機械的強度を向上させるため、四辺が内側に折り曲げられた天井側縁板２ａ、ハンドル側縁板２ｂ、床側縁板２ｃ、蝶番側縁板２ｄが設けられている。
【０００４】
ところで、閉鎖箱を屋外に常時設置する場合には、雨水や小動物などが換気口を通じて閉鎖箱内に侵入することを防止するような構造が求められる。こうした防水等の性能を有する換気口構造の一例について図９〜図１４を参照しながら説明する。なお、この換気口構造は、閉鎖箱の正面扉の下部に取り付けられている。図９〜図１２に示すように、この換気口構造７は、換気口７ａの枠体である換気フレーム８ａ〜８ｄ内に多数のヨロイ９を並列配置したものである。ヨロイ９は、図１３および図１４に示すように、長板状のものであり、板の短手方向両端９ａを互いに異なる方向に鈍角に折り曲げた構造となっている。図１０に示すように、このヨロイ９をその短手方向が閉鎖箱の内側Ａから外側Ｂへ向かって先下がりになるように、上下方向に所定間隔で多数配置することで、鉛直方向上側から噴霧する降雨水などに対し防水性能を発揮するようになっている。
【０００５】
一方、特許文献２には、天井板の換気口に形状記憶コイルバネを配置し、閉鎖箱内の温度が所定温度以上になると、形状記憶コイルバネが伸びて換気口を開くようにしたものが示されている。
【先行技術文献】
【特許文献】
【０００６】
【特許文献１】特開２０１２−１７５８７０号公報
【特許文献２】特開平４−４７０５号公報
【発明の概要】
【発明が解決しようとする課題】
【０００７】
しかし、上記の図９〜図１２の従来の換気口構造では、図１０に示されるように、各ヨロイ９間の隙間による開口９ｂが外部に対して斜め下向きに開いているため、鉛直方向下部から上方に向けて噴霧される水に対しての防水性能は極めて低いと言わざるを得ない。このため、換気口に対して鉛直方向下部から上方に向けて噴霧される水のような例を含めて、換気口に対する水の侵入角度に広く対応可能な防水構造が望まれていた。
【０００８】
本発明は、上記に鑑みてなされたものであって、閉鎖箱の側面または底面に配置した換気口において、あらゆる方向からの水の侵入を防止できる換気口構造を提供することを目的とする。
【課題を解決するための手段】
【０００９】
上記した課題を解決し、目的を達成するために、本発明に係る換気口構造は、閉鎖箱の側面または底面に設けられる換気口を有する換気口構造であって、前記閉鎖箱の外部からの水の侵入を防ぐために前記換気口を跨ぐように配置され、所定方向に所定間隔で並列配置される複数の長板状のヨロイを備え、前記ヨロイは、短手方向両端側においてそれぞれ表面側と裏面側に突出して長手方向に連続するツバを有し、隣り合う前記ヨロイ間の隙間の形状が、前記ヨロイの長手方向に垂直な断面視で屈折したＺ字状になるように前記ヨロイを並列配置したことを特徴とする。
【００１０】
また、本発明に係る他の換気口構造は、上述した発明において、前記ヨロイよりも前記閉鎖箱の内側に設けられ、前記ヨロイの長手方向端部の隙間からの水の侵入を防ぐための塞ぎ板をさらに備えることを特徴とする。
【００１１】
また、本発明に係る他の換気口構造は、上述した発明において、１枚の長板に対して長手方向に連続した２本の平行なスリットを設け、このスリットでＺ曲げ加工をすることで前記ツバを有する前記ヨロイが形成されることを特徴とする。
【発明の効果】
【００１２】
本発明に係る換気口構造によれば、閉鎖箱の側面または底面に設けられる換気口を有する換気口構造であって、前記閉鎖箱の外部からの水の侵入を防ぐために前記換気口を跨ぐように配置され、所定方向に所定間隔で並列配置される複数の長板状のヨロイを備え、前記ヨロイは、短手方向両端側においてそれぞれ表面側と裏面側に突出して長手方向に連続するツバを有し、隣り合う前記ヨロイ間の隙間の形状が、前記ヨロイの長手方向に垂直な断面視で屈折したＺ字状になるように前記ヨロイを並列配置したので、外部から換気口に侵入しようとする水は、断面視で屈折したＺ字状の隙間に阻まれて内部への侵入が困難となる。したがって、閉鎖箱の側面または底面に配置した換気口において、あらゆる方向からの水の侵入を防止することができるという効果を奏する。
【図面の簡単な説明】
【００１３】
【図１】図１は、本発明に係る換気口構造を用いた閉鎖箱の実施例を示す概略斜視図である。
【図２】図２は、本発明に係る換気口構造の平面図である。
【図３】図３は、本発明に係る換気口構造の正面図である。
【図４】図４は、本発明に係る換気口構造の図３のＡ−Ａ線に沿った断面図である。
【図５】図５は、本発明に係る換気口構造の底面図である。
【図６】図６は、本発明に係る換気口構造のヨロイの展開図であり、（１）は平面図、（２）は断面図、（３）は折り曲げ完了後の断面図である。
【図７】図７は、本発明に係る換気口構造のヨロイの図であり、（１）は左側面図、（２）は平面図、（３）は右側面図、（４）は断面図である。
【図８】図８は、従来の金属閉鎖形スイッチギヤの閉鎖箱の概略斜視図である。
【図９】図９は、従来の換気口構造の正面図である。
【図１０】図１０は、従来の換気口構造の図９のＹ−Ｙ線に沿った断面図である。
【図１１】図１１は、従来の換気口構造の背面図である。
【図１２】図１２は、従来の換気口構造の図９のＸ−Ｘ線に沿った断面図である。
【図１３】図１３は、従来の換気口構造のヨロイの平面図である。
【図１４】図１４は、従来の換気口構造のヨロイの断面図である。
【発明を実施するための形態】
【００１４】
以下に、本発明に係る換気口構造の実施の形態について、閉鎖箱の底面に設けられる換気口の場合を例にとり、図面に基づいて詳細に説明する。なお、この実施の形態によりこの発明が限定されるものではない。
【００１５】
図１に示すように、本発明に係る換気口構造１０は、閉鎖箱１２の底面板１４に取り付けたものである。この換気口構造１０は、図２〜図５に示すように、上記の図９〜図１２の従来の換気口構造と同様に、枠体である縦横左右の換気フレーム１８ａ〜１８ｄに囲まれる換気口１６内に多数のヨロイ２０を配置したものである。
【００１６】
ヨロイ２０は、閉鎖箱１２の外部からの水の侵入を防ぐために換気口１６を跨ぐように配置されるものであって、水平方向に所定の間隔で並列して多数配置される長板状のものである。ヨロイ２０は、図４に示すように、短手方向両端側においてそれぞれ長板の表面側と裏面側に突出して長手方向に連続するツバ２２を有している。このため、多数のヨロイ２０を同じ向きに並列配置した場合には、隣り合うヨロイ２０間の隙間Ｓの形状は、ヨロイ２０の長手方向に垂直な断面視でジグザグに屈曲したＺ字状を呈するようになる。
【００１７】
このようにすれば、外側Ｂから換気口１６に侵入しようとする水は、断面視で屈折したＺ字状の隙間Ｓに阻まれてそれより内部への侵入が困難となる。特に、ヨロイ２０の両端２つのツバ２２が返しとして機能するので、下方向あるいは水平方向といったあらゆる方向からの水の侵入を防止することができる。
【００１８】
ところで、ヨロイ２０を例えば等間隔で並べると、ヨロイ２０を換気口１６に取り付ける長手方向端部や換気口１６の四隅１６ａに隙間ができて、これらの隙間から水が内側Ａに侵入するおそれがある。そこで、図２〜図５に示すように、ヨロイ２０よりも閉鎖箱の内側に、換気口１６の四隅１６ａを含む縁部分を覆う四角枠状の塞ぎ板２４を取り付けてある。この塞ぎ板２４によって、こうした隙間からの水の侵入を防ぐことができる。
【００１９】
また、ヨロイ２０は、図６の展開図および図７の完成図に示すように、１枚の長板２０ａに対して長手方向に連続した２本の平行なスリット２６を設けたものから製作することが可能である。ここで、スリット２６は長手方向両端側がそれぞれ外側に屈曲して短く伸びる端部スリット２６ａに連続しており、スリット２６の平面形状は長板２０ａの長手方向に沿う中心線に関して線対称のＵ字状になっている。この構成において、端部スリット２６ａの中間付近の曲げ支点Ｐからスリット２６に沿ってＺ曲げ加工を行うことで長板２０ａの長手方向にツバ２２を形成することができる。
【００２０】
なお、ツバ２２と長板２０ａのなす角度は９０度前後程度が好ましいが、これ以外の角度に設定してももちろん構わない。いずれにせよ、長板２０ａに対するツバ２２の傾斜角度やヨロイ２０の寸法、配置間隔、取り付け傾斜角度等は、防水性能に影響を与えるので、これらの諸元は、要求される防水性能等に応じて適宜設定することがより好ましい。
【００２１】
また、上記の実施の形態において、閉鎖箱１２の底面板１４に取り付ける換気口構造１０について説明したが、本発明は底面板に取り付けた換気口構造に限るものではなく、例えば、閉鎖箱１２の正面扉などの側面に設置することも可能であり、いずれにせよ本実施例と同様に、あらゆる方向からの水の侵入を防止することができる。
【００２２】
以上説明したように、本発明に係る換気口構造によれば、閉鎖箱の側面または底面に設けられる換気口を有する換気口構造であって、前記閉鎖箱の外部からの水の侵入を防ぐために前記換気口を跨ぐように配置され、所定方向に所定間隔で並列配置される複数の長板状のヨロイを備え、前記ヨロイは、短手方向両端側においてそれぞれ表面側と裏面側に突出して長手方向に連続するツバを有し、隣り合う前記ヨロイ間の隙間の形状が、前記ヨロイの長手方向に垂直な断面視で屈折したＺ字状になるように前記ヨロイを並列配置したので、外部から換気口に侵入しようとする水は、断面視で屈折したＺ字状の隙間に阻まれて内部への侵入が困難となる。したがって、閉鎖箱の側面または底面に配置した換気口において、あらゆる方向からの水の侵入を防止することができる。
【産業上の利用可能性】
【００２３】
以上のように、本発明に係る換気口構造は、遮断器や断路器などの電気機器を収納する金属閉鎖形スイッチギヤの閉鎖箱の換気口構造に有用であり、特に、常時屋外に設置される閉鎖箱の側面または底面に配置した換気口において、あらゆる方向からの水の侵入を防止するのに適している。
【符号の説明】
【００２４】
１０  換気口構造
１２  閉鎖箱
１４  底面板
１６  換気口
１６ａ  四隅
１８  換気フレーム
２０  ヨロイ
２０ａ  長板
２２  ツバ
２４  塞ぎ板
２６  スリット
２６ａ  端部スリット
Ａ  内側
Ｂ  外側（外部）
Ｓ  隙間
【図１】
2015089274.tif 000003
【図２】
2015089274.tif 000004
【図３】
2015089274.tif 000005
【図４】
2015089274.tif 000006
【図５】
2015089274.tif 000007
【図６】
2015089274.tif 000008
【図７】
2015089274.tif 000009
【図８】
2015089274.tif 000010
【図９】
2015089274.tif 000011
【図１０】
2015089274.tif 000012
【図１１】
2015089274.tif 000013
【図１２】
2015089274.tif 000014
【図１３】
2015089274.tif 000015
【図１４】
2015089274.tif 000016